(57)【要約】  天井埋込型空気調和機（１）は、部屋の天井に埋め込まれる被埋込部（２）と、部屋の天井に埋め込まれない板部（３）と、板部（３）に取り付けられていて温度の検出を行う温度検出部（７）と、温度検出部（７）が温度の検出を行う範囲（２０）にひとりの人が存在する場合の温度の分布と天井の高さとが紐付けられているひとつ又は複数の組み合わせを含む基準データを記憶する基準データ記憶部（１４）と、被埋込部（２）が部屋の天井に埋め込まれた後で範囲（２０）にひとりの人が存在する場合に温度検出部（７）によって検出された温度の分布と基準データ記憶部（１４）に記憶されている基準データとをもとに部屋の天井の高さを判断する判断部（１６）とを有する。
2020202323.tif 000002
【特許請求の範囲】
【請求項１】
部屋の天井に埋め込まれる被埋込部と、
前記部屋の天井に埋め込まれない板部と、
前記板部に取り付けられていて温度の検出を行う温度検出部と、
前記温度検出部が温度の検出を行う範囲にひとりの人が存在する場合の温度の分布と天井の高さとが紐付けられているひとつ又は複数の組み合わせを含む基準データを記憶する基準データ記憶部と、
前記被埋込部が前記部屋の天井に埋め込まれた後で前記範囲にひとりの人が存在する場合に前記温度検出部によって検出された温度の分布と前記基準データ記憶部に記憶されている前記基準データとをもとに前記部屋の天井の高さを判断する判断部と
を備える天井埋込型空気調和機。
【請求項２】
前記基準データに含まれている前記ひとつ又は複数の組み合わせの各々は、前記範囲が相対的に温度が高い領域と相対的に温度が低い領域とに区別されていて前記相対的に温度が高い領域の大きさと天井の高さとを紐付けており、
前記相対的に温度が高い領域の温度は、あらかじめ決められた第１の温度を含むあらかじめ決められた温度範囲内の温度であって、
前記判断部は、前記温度検出部によって検出された温度の分布において最も高い温度から前記最も高い温度よりあらかじめ決められた第２の温度だけ低い温度までの領域の大きさと、前記ひとつ又は複数の組み合わせの各々の前記相対的に温度が高い領域の大きさとを比較して前記部屋の天井の高さを判断する
請求項１に記載の天井埋込型空気調和機。
【請求項３】
前記判断部が前記部屋の天井の高さを判断する際に用いた前記温度検出部によって検出された温度の分布を示す温度分布データを記憶する温度分布データ記憶部と、
前記判断部が前記部屋の天井の高さを判断した後に前記温度検出部によって検出された温度の分布と前記温度分布データ記憶部に記憶されている前記温度分布データとをもとに前記部屋に存在する人の数を推定する推定部と
を更に備える請求項１又は２に記載の天井埋込型空気調和機。
【請求項４】
吹き出される空気の左右方向における向きを決定するための向きが設定されるベーンと、
前記ベーンの向きを制御する制御部とを更に備え、
前記推定部は、前記部屋に存在する人が位置する場所を推定する機能を更に有し、
前記制御部は、前記推定部によって推定された前記部屋における複数の場所の各々に存在する人の数に対応して前記ベーンの向きを制御する
請求項３に記載の天井埋込型空気調和機。
【発明の詳細な説明】
【技術分野】
【０００１】
本発明は、一部が部屋の天井に埋め込まれる天井埋込型空気調和機に関する。
【背景技術】
【０００２】
従来、天井埋込型空気調和機の一部が天井に埋め込まれる部屋における天井の高さを判断するために、カメラを天井埋込型空気調和機に取り付け、カメラのピント合わせを行うことによって、又は、カメラによって得られた画像を処理することによって、天井の高さを判断する技術が提案されている（例えば、特許文献１参照）。
【先行技術文献】
【特許文献】
【０００３】
【特許文献１】特開２０１５−４４７６号公報
【発明の概要】
【発明が解決しようとする課題】
【０００４】
従来の技術には、カメラが用いられるため、天井埋込型空気調和機のコストが比較的高価になるという課題がある。比較的安価であって、天井の高さを適切に判断する天井埋込型空気調和機が提供されることが要求されている。【０００５】
本発明は、上記に鑑みてなされたものであって、比較的安価であって、天井の高さを適切に判断する天井埋込型空気調和機を得ることを目的とする。
【課題を解決するための手段】
【０００６】
上述した課題を解決し、目的を達成するために、本発明に係る天井埋込型空気調和機は、部屋の天井に埋め込まれる被埋込部と、部屋の天井に埋め込まれない板部と、板部に取り付けられていて温度の検出を行う温度検出部と、温度検出部が温度の検出を行う範囲にひとりの人が存在する場合の温度の分布と天井の高さとが紐付けられているひとつ又は複数の組み合わせを含む基準データを記憶する基準データ記憶部と、被埋込部が部屋の天井に埋め込まれた後で範囲にひとりの人が存在する場合に温度検出部によって検出された温度の分布と基準データ記憶部に記憶されている基準データとをもとに部屋の天井の高さを判断する判断部とを有する。
【発明の効果】
【０００７】
本発明に係る天井埋込型空気調和機は、比較的安価であって、天井の高さを適切に判断することができる。
【図面の簡単な説明】
【０００８】
【図１】実施の形態１に係る天井埋込型空気調和機の構成を示す斜視図
【図２】実施の形態１に係る天井埋込型空気調和機の平面図
【図３】実施の形態１に係る天井埋込型空気調和機が部屋の天井に取り付けられている状況を模式的に示す図
【図４】実施の形態１に係る天井埋込型空気調和機の一部の構成を示すブロック図
【図５】実施の形態１に係る天井埋込型空気調和機の基準データ記憶部に記憶されている基準データを説明するための第１の図
【図６】実施の形態１に係る天井埋込型空気調和機の基準データ記憶部に記憶されている基準データを説明するための第２の図
【図７】実施の形態１に係る天井埋込型空気調和機の判断部が行う天井の高さを判断する方法の例を説明するための図
【図８】実施の形態１に係る天井埋込型空気調和機が部屋の天井の高さを判断する際に行う動作の手順の例を示すフローチャート
【図９】実施の形態２に係る天井埋込型空気調和機が有する推定部が行う部屋に存在する人の数を推定する方法を説明するための第１図
【図１０】実施の形態２に係る天井埋込型空気調和機が有する推定部が行う部屋に存在する人の数を推定する方法を説明するための第２図
【図１１】実施の形態１に係る天井埋込型空気調和機が有する温度検出部、受信部、制御部、判断部及び推定部の少なくとも一部の機能がプロセッサによって実現される場合のプロセッサを示す図
【図１２】実施の形態１に係る天井埋込型空気調和機が有する温度検出部、受信部、制御部、判断部及び推定部の少なくとも一部が処理回路によって実現される場合の処理回路を示す図
【発明を実施するための形態】
【０００９】
以下に、本発明の実施の形態に係る天井埋込型空気調和機を図面に基づいて詳細に説明する。なお、この実施の形態によりこの発明が限定されるものではない。
【００１０】
実施の形態１．
図１は、実施の形態１に係る天井埋込型空気調和機１の構成を示す斜視図である。図２は、実施の形態１に係る天井埋込型空気調和機１の平面図である。天井埋込型空気調和機１は、室内機であって、図１及び図２に示されていない室外機と共に空気調和を行う。天井埋込型空気調和機１は、部屋の天井に埋め込まれる被埋込部２を有する。被埋込部２は、空気調和を行う機能を有する構成要素を内部に有する。当該構成要素は、図１及び図２に示されていない。図２は、被埋込部２が部屋の天井に埋め込まれた場合に床から天井を見たときの天井埋込型空気調和機１の平面図である。図１及び図２は、天井埋込型空気調和機１を模式的に示している。
【００１１】
天井埋込型空気調和機１は、部屋の天井に埋め込まれない板部３を更に有する。被埋込部２が部屋の天井に埋め込まれた場合、板部３は当該部屋の床と対向する。板部３の中央部には、空気の吸込口４が設けられている。板部３の吸込口４を囲む箇所には、第１吹出口５ａ、第２吹出口５ｂ、第３吹出口５ｃ及び第４吹出口５ｄが設けられている。第１吹出口５ａ、第２吹出口５ｂ、第３吹出口５ｃ及び第４吹出口５ｄの各々は、空気の吹出口である。
【００１２】
天井埋込型空気調和機１は、第１吹出口５ａに設けられていて、第１吹出口５ａから吹き出される空気の上下方向における向きを決定するための角度が設定される第１上下風向板６ａと、第２吹出口５ｂに設けられていて、第２吹出口５ｂから吹き出される空気の上下方向における向きを決定するための角度が設定される第２上下風向板６ｂとを更に有する。
【００１３】
天井埋込型空気調和機１は、第３吹出口５ｃに設けられていて、第３吹出口５ｃから吹き出される空気の上下方向における向きを決定するための角度が設定される第３上下風向板６ｃと、第４吹出口５ｄに設けられていて、第４吹出口５ｄから吹き出される空気の上下方向における向きを決定するための角度が設定される第４上下風向板６ｄとを更に有する。
【００１４】
天井埋込型空気調和機１は、板部３に取り付けられていて温度の検出を行う温度検出部７を更に有する。温度検出部７の例は、温度サーミスタである。
【００１５】
図３は、実施の形態１に係る天井埋込型空気調和機１が部屋８の天井に取り付けられている状況を模式的に示す図である。図３は、天井埋込型空気調和機１に信号を送信する機能を有する遠隔操作機器９が部屋８の壁に取り付けられている状況も示している。遠隔操作機器９は、人によって操作されて、人が行った操作に対応する信号を天井埋込型空気調和機１に送信する。遠隔操作機器９と天井埋込型空気調和機１との間の通信は、例えば無線で行われる。図３は、ひとりの人１０が部屋８に存在している状況も示している。図３における符号「Ｈ」は、部屋８の天井の高さを示している。天井の高さＨは、部屋８の床から天井までの距離である。
【００１６】
図４は、実施の形態１に係る天井埋込型空気調和機１の一部の構成を示すブロック図である。天井埋込型空気調和機１は、温度検出部７を制御する機能を有する制御装置１１を更に有する。制御装置１１は、遠隔操作機器９から送信された信号を受信する受信部１２を有する。制御装置１１は、受信部１２が受信した信号が部屋８の天井の高さＨを判断させる指示を示す信号である場合、温度検出部７に温度を検出させる制御部１３を更に有する。
【００１７】
制御装置１１は、温度検出部７が温度の検出を行う範囲にひとりの人が存在する場合の温度の分布と天井の高さとが紐付けられているひとつ又は複数の組み合わせを含む基準データを記憶する基準データ記憶部１４を更に有する。例えば、温度の分布は、天井埋込型空気調和機１が取り付けられる部屋の床面における温度の分布である。基準データは、部屋８の天井の高さＨを判断する際に用いられるデータである。基準データ記憶部１４の例は、半導体メモリである。
【００１８】
基準データに含まれているひとつ又は複数の組み合わせの各々は、上記の範囲が相対的に温度が高い領域と相対的に温度が低い領域とに区別されている状況において相対的に温度が高い領域の大きさと天井の高さとを紐付けている。相対的に温度が高い領域の温度は、あらかじめ決められた第１の温度を含むあらかじめ決められた温度範囲内の温度である。
【００１９】
受信部１２は、被埋込部２が部屋８の天井に埋め込まれた後で温度検出部７が温度の検出を行う範囲にひとりの人が存在する場合に温度検出部７によって検出された温度の分布を示す実測データを温度検出部７から受信する。例えば、温度の分布は、被埋込部２が天井に埋め込まれている部屋８の床面における温度の分布である。上記の範囲は、天井が高いほど大きい。
【００２０】
制御装置１１は、受信部１２によって受信された実測データを記憶する実測データ記憶部１５を更に有する。つまり、実測データ記憶部１５は、被埋込部２が部屋８の天井に埋め込まれた後で温度検出部７が温度の検出を行う範囲にひとりの人が存在する場合に温度検出部７によって検出された温度の分布を示す実測データを記憶する。実測データ記憶部１５の例は、半導体メモリである。
【００２１】
制御装置１１は、基準データ記憶部１４に記憶されている基準データと、実測データ記憶部１５に記憶されている実測データとをもとに部屋８の天井の高さを判断する判断部１６を更に有する。つまり、判断部１６は、被埋込部２が部屋８の天井に埋め込まれた後で温度検出部７が温度の検出を行う範囲にひとりの人が存在する場合に温度検出部７によって検出された温度の分布と基準データ記憶部１４に記憶されている基準データとをもとに部屋８の天井の高さを判断する。
【００２２】
具体的には、判断部１６は、温度検出部７によって検出された温度の分布において最も高い温度から当該最も高い温度よりあらかじめ決められた第２の温度だけ低い温度までの領域の大きさと、基準データに含まれているひとつ又は複数の組み合わせの各々の相対的に温度が高い領域の大きさとを比較して部屋８の天井の高さを判断する。又は、判断部１６は、温度検出部７によって検出された温度の分布における相対的に温度が高い領域の大きさと、基準データに含まれているひとつ又は複数の組み合わせの各々の相対的に温度が高い領域の大きさとを比較して部屋８の天井の高さを判断する。例えば、上記の温度検出部７によって検出された温度の分布における相対的に温度が高い領域の温度は、あらかじめ決められた第１の温度を含むあらかじめ決められた温度範囲内の温度である。
【００２３】
制御装置１１は、判断部１６が部屋８の天井の高さＨを判断する際に用いた温度検出部７によって検出された温度の分布を示す温度分布データを記憶する温度分布データ記憶部１７を更に有する。温度分布データ記憶部１７の例は、半導体メモリである。制御装置１１は、部屋８に存在する人の数を推定する推定部１８を更に有する。天井埋込型空気調和機１は、空気の吹出口から吹き出される空気の左右方向における向きを決定するための向きが設定されるベーン１９を更に有する。温度分布データ記憶部１７、推定部１８及びベーン１９に関連する詳細な事項については、実施の形態２において説明する。
【００２４】
図５は、実施の形態１に係る天井埋込型空気調和機１の基準データ記憶部１４に記憶されている基準データを説明するための第１の図である。図５は、天井の高さが第１の高さＨＡである場合において、温度検出部７が温度の検出を行う範囲２０にひとりの人が存在するときの温度の分布を示している。更に言うと、図５は、基準データに含まれている第１の組み合わせにおける温度の分布と第１の高さＨＡとが紐付けられていることを示している。図５は、範囲２０が相対的に温度が高い領域Ａと相対的に温度が低い領域とに区別されていることを示している。相対的に温度が高い領域Ａには斜線が付加されており、相対的に温度が低い領域には斜線は付加されていない。相対的に温度が高い領域Ａの大きさは、第１の高さＨＡと紐付けられている。
【００２５】
図６は、実施の形態１に係る天井埋込型空気調和機１の基準データ記憶部１４に記憶されている基準データを説明するための第２の図である。図６は、天井の高さが第２の高さＨＢである場合において、温度検出部７が温度の検出を行う範囲２０にひとりの人が存在するときの温度の分布を示している。更に言うと、図６は、基準データに含まれている第２の組み合わせにおける温度の分布と第２の高さＨＢとが紐付けられていることを示している。第２の高さＨＢは、第１の高さＨＡより低い。図６の範囲２０は、図５の範囲２０より小さい。図６は、範囲２０が相対的に温度が高い領域Ｂと相対的に温度が低い領域とに区別されていることを示している。相対的に温度が高い領域Ｂには斜線が付加されており、相対的に温度が低い領域には斜線は付加されていない。相対的に温度が高い領域Ｂの大きさは、第２の高さＨＢと紐付けられている。
【００２６】
図５の相対的に温度が高い領域Ａと図６の相対的に温度が高い領域Ｂとを対比すると理解することができるように、温度検出部７が温度の検出を行う範囲２０にひとりの人が存在する場合の相対的に温度が高い領域の大きさは、天井の高さが高いほど小さい。
【００２７】
図７は、実施の形態１に係る天井埋込型空気調和機１の判断部１６が行う天井の高さを判断する方法の例を説明するための図である。図７において、符号「Ａ」が付与されているものは、図５の相対的に温度が高い領域Ａを示している。符号「Ｂ」が付与されているものは、図６の相対的に温度が高い領域Ｂを示している。
【００２８】
符号「Ｃ１」は、被埋込部２が第１の高さＨＡより高い天井に埋め込まれた後で温度検出部７が温度の検出を行う範囲２０にひとりの人が存在する場合に温度検出部７によって検出された温度の分布のうちの相対的に温度が高い領域を示している。例えば、符号「Ｃ１」が付与された領域は、温度検出部７によって検出された温度の分布において最も高い温度から当該最も高い温度よりあらかじめ決められた第２の温度だけ低い温度までの領域である。
【００２９】
符号「Ｃ２」は、被埋込部２が第１の高さＨＡ以下で第２の高さＨＢ以上の天井に埋め込まれた後で範囲２０にひとりの人が存在する場合に温度検出部７によって検出された温度の分布のうちの相対的に温度が高い領域を示している。例えば、符号「Ｃ２」が付与された領域は、温度検出部７によって検出された温度の分布において最も高い温度から当該最も高い温度よりあらかじめ決められた第２の温度だけ低い温度までの領域である。
【００３０】
符号「Ｃ３」は、被埋込部２が第２の高さＨＢより低い天井に埋め込まれた後で範囲２０にひとりの人が存在する場合に温度検出部７によって検出された温度の分布のうちの相対的に温度が高い領域を示している。例えば、符号「Ｃ３」が付与された領域は、温度検出部７によって検出された温度の分布において最も高い温度から当該最も高い温度よりあらかじめ決められた第２の温度だけ低い温度までの領域である。
【００３１】
領域Ｘは、天井の高さが第１の高さＨＡより高い領域である。領域Ｙは、天井の高さが第２の高さＨＢ以上第１の高さＨＡ以下である領域である。領域Ｚは、天井の高さが第２の高さＨＢより低い領域である。
【００３２】
図８は、実施の形態１に係る天井埋込型空気調和機１が部屋８の天井の高さＨを判断する際に行う動作の手順の例を示すフローチャートである。被埋込部２が部屋８の天井に埋め込まれた後に、人１０が図３の遠隔操作機器９に対して部屋８の天井の高さＨを天井埋込型空気調和機１に判断させるための操作を行うと、遠隔操作機器９は、部屋８の天井の高さＨを判断させる指示を示す信号を天井埋込型空気調和機１に送信する。人１０は、上記の操作を行った後、被埋込部２の鉛直下方に移動する。
【００３３】
天井埋込型空気調和機１において、受信部１２は、遠隔操作機器９から送信された信号を受信する。制御部１３は、温度検出部７に温度を検出させる。受信部１２は、温度検出部７によって検出された温度の分布を示す実測データを温度検出部７から受信する（Ｓ１）。実測データ記憶部１５は、受信部１２によって受信された実測データを記憶する。実測データが示す温度の分布のうちの最も高い温度から当該最も高い温度よりあらかじめ決められた第２の温度だけ低い温度までの領域は、測定領域Ｃと規定される。
【００３４】
判断部１６は、基準データ記憶部１４に記憶されている基準データと実測データ記憶部１５に記憶されている実測データとを取得する。判断部１６は、実測データによって特定される測定領域Ｃの大きさが基準データに含まれる第１の組み合わせの相対的に温度が高い領域Ａの大きさより小さいか否かを判断する（Ｓ２）。図８では、測定領域Ｃの大きさは「実測Ｃ」と記載されている。図８のステップＳ２では、基準データに含まれる第１の組み合わせの相対的に温度が高い領域Ａの大きさは「基準Ａ」と記載されている。
【００３５】
判断部１６は、測定領域Ｃの大きさが第１の組み合わせの相対的に温度が高い領域Ａの大きさより小さいと判断した場合（Ｓ２でＹｅｓ）、部屋８の天井の高さＨは、第１の高さＨＡより高いと判断する（Ｓ３）。つまり、ステップＳ３において、判断部１６は、部屋８の天井の高さＨは領域Ｘに属すると判断する。判断部１６は、測定領域Ｃの大きさが第１の組み合わせの相対的に温度が高い領域Ａの大きさ以上であると判断した場合（Ｓ２でＮｏ）、測定領域Ｃの大きさが基準データに含まれる第２の組み合わせの相対的に温度が高い領域Ｂの大きさより大きいか否かを判断する（Ｓ４）。図８のステップＳ４では、基準データに含まれる第２の組み合わせの相対的に温度が高い領域Ｂの大きさは「基準Ｂ」と記載されている。
【００３６】
判断部１６は、測定領域Ｃの大きさが第２の組み合わせの相対的に温度が高い領域Ｂの大きさより大きいと判断した場合（Ｓ４でＹｅｓ）、部屋８の天井の高さＨは、第２の高さＨＢより低いと判断する（Ｓ５）。つまり、ステップＳ５において、判断部１６は、部屋８の天井の高さＨは領域Ｚに属すると判断する。判断部１６は、測定領域Ｃの大きさが第２の組み合わせの相対的に温度が高い領域Ｂの大きさ以下であると判断した場合（Ｓ４でＮｏ）、部屋８の天井の高さＨは、第２の高さＨＢ以上第１の高さＨＡ以下であると判断する（Ｓ６）。つまり、ステップＳ６において、判断部１６は、部屋８の天井の高さＨは領域Ｙに属すると判断する。
【００３７】
上述の通り、実施の形態１に係る天井埋込型空気調和機１は、部屋８の天井に埋め込まれない板部３に取り付けられている温度検出部７と、判断部１６とを有する。判断部１６は、被埋込部２が部屋８の天井に埋め込まれた後で温度検出部７が温度の検出を行う範囲２０にひとりの人が存在する場合に温度検出部７によって検出された温度の分布と、部屋８の天井の高さＨを判断するための基準データとをもとに部屋８の天井の高さＨを判断する。
【００３８】
すなわち、天井埋込型空気調和機１は、カメラを用いることなく、部屋８の天井の高さＨを判断する。温度検出部７は、カメラより安価である。天井埋込型空気調和機１は、被埋込部２が部屋８の天井に埋め込まれた後に温度検出部７によって検出された温度の分布と基準データとをもとに部屋８の天井の高さＨを判断するので、部屋８の天井の高さＨを適切に判断することができる。したがって、実施の形態１に係る天井埋込型空気調和機１は、比較的安価であって、被埋込部２が埋め込まれる天井の高さＨを適切に判断することができる。
【００３９】
実施の形態２．
次に、実施の形態２に係る天井埋込型空気調和機を説明する。実施の形態２に係る天井埋込型空気調和機の構成は、実施の形態１に係る天井埋込型空気調和機１の構成と同じである。つまり、実施の形態２に係る天井埋込型空気調和機は、実施の形態１に係る天井埋込型空気調和機１である。実施の形態２では、実施の形態１との相違点を主に説明する。
【００４０】
図４に示す通り、天井埋込型空気調和機１は、温度分布データ記憶部１７、推定部１８及びベーン１９を有する。実施の形態１において説明した通り、温度分布データ記憶部１７は、判断部１６が部屋８の天井の高さＨを判断する際に用いた温度検出部７によって検出された温度の分布を示す温度分布データを記憶する。
【００４１】
推定部１８は、判断部１６が部屋８の天井の高さＨを判断した後において、部屋８に存在する人の数を推定する。具体的には、推定部１８は、判断部１６が部屋８の天井の高さＨを判断した後に温度検出部７によって検出された温度の分布と温度分布データ記憶部１７に記憶されている温度分布データとをもとに部屋８に存在する人の数を推定する。
【００４２】
図９は、実施の形態２に係る天井埋込型空気調和機１が有する推定部１８が行う部屋８に存在する人の数を推定する方法を説明するための第１図である。図９は、温度検出部７が温度の検出を行う範囲２０に、相対的に温度が高い第１の領域２１Ａと、相対的に温度が高い第２の領域２１Ｂと、相対的に温度が高い第３の領域２１Ｃとが含まれている状況を示している。
【００４３】
図９の相対的に温度が高い第１の領域２１Ａの大きさは、温度分布データ記憶部１７に記憶されている温度分布データが示す相対的に温度が高い領域の大きさの４倍程度であることを想定する。図９の相対的に温度が高い第２の領域２１Ｂの大きさは、温度分布データが示す相対的に温度が高い領域の大きさの３倍程度であることを想定する。図９の相対的に温度が高い第３の領域２１Ｃの大きさは、温度分布データが示す相対的に温度が高い領域の大きさの１倍程度であることを想定する。
【００４４】
図９に示される状況では、相対的に温度が高い第１の領域２１Ａの大きさが、温度分布データが示す相対的に温度が高い領域の大きさの４倍程度であるので、推定部１８は、相対的に温度が高い第１の領域２１Ａに４人が存在することを推定する。同様に、推定部１８は、相対的に温度が高い第２の領域２１Ｂに３人が存在し、相対的に温度が高い第３の領域２１Ｃに１人が存在することを推定する。すなわち、推定部１８は、部屋８に８人が存在すると推定する。
【００４５】
図１０は、実施の形態２に係る天井埋込型空気調和機１が有する推定部１８が行う部屋８に存在する人の数を推定する方法を説明するための第２図である。図１０は、温度検出部７が温度の検出を行う範囲２０に、相対的に温度が高い第１の領域２２Ａと、相対的に温度が高い第２の領域２２Ｂと、相対的に温度が高い第３の領域２２Ｃとが含まれている状況を示している。
【００４６】
図１０の相対的に温度が高い第１の領域２２Ａの大きさは、温度分布データ記憶部１７に記憶されている温度分布データが示す相対的に温度が高い領域の大きさの３倍程度であることを想定する。図１０の相対的に温度が高い第２の領域２２Ｂの大きさは、温度分布データが示す相対的に温度が高い領域の大きさの２倍程度であることを想定する。図１０の相対的に温度が高い第３の領域２２Ｃの大きさは、温度分布データが示す相対的に温度が高い領域の大きさの１倍程度であることを想定する。
【００４７】
図１０に示される状況では、相対的に温度が高い第１の領域２２Ａの大きさが、温度分布データが示す相対的に温度が高い領域の大きさの３倍程度であるので、推定部１８は、相対的に温度が高い第１の領域２２Ａに３人が存在することを推定する。同様に、推定部１８は、相対的に温度が高い第２の領域２２Ｂに２人が存在し、相対的に温度が高い第３の領域２２Ｃに１人が存在することを推定する。すなわち、推定部１８は、部屋８に６人が存在すると推定する。
【００４８】
上述の通り、図９に示される状況では、推定部１８は、相対的に温度が高い第１の領域２１Ａに４人が存在し、相対的に温度が高い第２の領域２１Ｂに３人が存在し、相対的に温度が高い第３の領域２１Ｃに１人が存在することを推定する。図１０に示される状況では、推定部１８は、相対的に温度が高い第１の領域２２Ａに３人が存在し、相対的に温度が高い第２の領域２２Ｂに２人が存在し、相対的に温度が高い第３の領域２２Ｃに１人が存在することを推定する。すなわち、推定部１８は、部屋８に存在する人が位置する場所を推定する機能も有する。制御部１３は、ベーン１９の向きを制御する機能を有する。
【００４９】
実施の形態１において説明した通り、ベーン１９は、空気の吹出口から吹き出される空気の左右方向における向きを決定するための向きが設定されるものである。図４には、ひとつのベーン１９しか示されていないが、実際は、ベーン１９は、第１吹出口５ａ、第２吹出口５ｂ、第３吹出口５ｃ及び第４吹出口５ｄの各々に設けられている。制御部１３は、推定部１８によって推定された部屋８における複数の場所の各々に存在する人の数に対応してベーン１９の向きを制御する。
【００５０】
上述の通り、実施の形態２に係る天井埋込型空気調和機１は、判断部１６が部屋８の天井の高さＨを判断した後において、温度検出部７によって検出された温度の分布と温度分布データ記憶部１７に記憶されている温度分布データとをもとに部屋８に存在する人の数を推定する。すなわち、実施の形態２に係る天井埋込型空気調和機１は、判断部１６が部屋８の天井の高さＨを判断した後において、部屋８に存在する人の数を推定することができる。
【００５１】
更に言うと、推定部１８は、温度検出部７によって検出された温度の分布と温度分布データとをもとに部屋８に存在する人の数を推定する。推定部１８は、部屋８に存在する人の数を推定する場合、基準データではなく、判断部１６が部屋８の天井の高さＨを判断する際に用いた温度検出部７によって検出された温度の分布を示す温度分布データを用いる。そのため、実施の形態２に係る天井埋込型空気調和機１は、基準データを用いる場合より、部屋８に存在する人の数を精度良く推定することができる。
【００５２】
上述の通り、推定部１８は、部屋８に存在する人が位置する場所を推定する。そのため、実施の形態２に係る天井埋込型空気調和機１は、部屋８において人が存在する位置に向けて人の数に対応する風を吹き出すことができる。
【００５３】
図１１は、実施の形態１に係る天井埋込型空気調和機１が有する温度検出部７、受信部１２、制御部１３、判断部１６及び推定部１８の少なくとも一部の機能がプロセッサ９１によって実現される場合のプロセッサ９１を示す図である。つまり、温度検出部７、受信部１２、制御部１３、判断部１６及び推定部１８の少なくとも一部の機能は、メモリ９２に格納されるプログラムを実行するプロセッサ９１によって実現されてもよい。プロセッサ９１は、ＣＰＵ（Central  Processing  Unit）、処理装置、演算装置、マイクロプロセッサ、又はＤＳＰ（Digital  Signal  Processor）である。図１１には、メモリ９２も示されている。
【００５４】
温度検出部７、受信部１２、制御部１３、判断部１６及び推定部１８の少なくとも一部の機能がプロセッサ９１によって実現される場合、当該少なくとも一部の機能は、プロセッサ９１と、ソフトウェア、ファームウェア、又は、ソフトウェア及びファームウェアとの組み合わせにより実現される。ソフトウェア又はファームウェアは、プログラムとして記述され、メモリ９２に格納される。プロセッサ９１は、メモリ９２に記憶されたプログラムを読み出して実行することにより、温度検出部７、受信部１２、制御部１３、判断部１６及び推定部１８の少なくとも一部の機能を実現する。
【００５５】
温度検出部７、受信部１２、制御部１３、判断部１６及び推定部１８の少なくとも一部の機能がプロセッサ９１によって実現される場合、天井埋込型空気調和機１は、温度検出部７、受信部１２、制御部１３、判断部１６及び推定部１８によって実行されるステップの少なくとも一部が結果的に実行されることになるプログラムを格納するためのメモリ９２を有する。メモリ９２に格納されるプログラムは、温度検出部７、受信部１２、制御部１３、判断部１６及び推定部１８が実行する手順又は方法の少なくとも一部をコンピュータに実行させるものであるともいえる。
【００５６】
メモリ９２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００５７】
図１２は、実施の形態１に係る天井埋込型空気調和機１が有する温度検出部７、受信部１２、制御部１３、判断部１６及び推定部１８の少なくとも一部が処理回路９３によって実現される場合の処理回路９３を示す図である。つまり、温度検出部７、受信部１２、制御部１３、判断部１６及び推定部１８の少なくとも一部は、処理回路９３によって実現されてもよい。
【００５８】
処理回路９３は、専用のハードウェアである。処理回路９３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。
【００５９】
温度検出部７、受信部１２、制御部１３、判断部１６及び推定部１８が有する複数の機能について、当該複数の機能の一部がソフトウェア又はファームウェアで実現され、当該複数の機能の残部が専用のハードウェアで実現されてもよい。このように、温度検出部７、受信部１２、制御部１３、判断部１６及び推定部１８が有する複数の機能は、ハードウェア、ソフトウェア、ファームウェア、又はこれらの組み合わせによって実現することができる。
【００６０】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００６１】
１  天井埋込型空気調和機、２  被埋込部、３  板部、４  吸込口、５ａ  第１吹出口、５ｂ  第２吹出口、５ｃ  第３吹出口、５ｄ  第４吹出口、６ａ  第１上下風向板、６ｂ  第２上下風向板、６ｃ  第３上下風向板、６ｄ  第４上下風向板、７  温度検出部、８  部屋、９  遠隔操作機器、１０  人、１１  制御装置、１２  受信部、１３  制御部、１４  基準データ記憶部、１５  実測データ記憶部、１６  判断部、１７  温度分布データ記憶部、１８  推定部、１９  ベーン、２０  範囲、ＨＡ  第１の高さ、ＨＢ  第２の高さ、９１  プロセッサ、９２  メモリ、９３  処理回路。
【図１】
2020202323.tif 000003
【図２】
2020202323.tif 000004
【図３】
2020202323.tif 000005
【図４】
2020202323.tif 000006
【図５】
2020202323.tif 000007
【図６】
2020202323.tif 000008
【図７】
2020202323.tif 000009
【図８】
2020202323.tif 000010
【図９】
2020202323.tif 000011
【図１０】
2020202323.tif 000012
【図１１】
2020202323.tif 000013
【図１２】
2020202323.tif 000014
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
部屋の天井に埋め込まれる被埋込部と、
前記部屋の天井に埋め込まれない板部と、
前記板部に取り付けられていて温度の検出を行う温度検出部と、
前記温度検出部が温度の検出を行う範囲にひとりの人が存在する場合の温度の分布と天井の高さとが紐付けられているひとつ又は複数の組み合わせを含む基準データを記憶する基準データ記憶部と、
前記被埋込部が前記部屋の天井に埋め込まれた後で前記範囲にひとりの人が存在する場合に前記温度検出部によって検出された温度の分布と前記基準データ記憶部に記憶されている前記基準データとをもとに前記部屋の天井の高さを判断する判断部とを備え、
前記基準データに含まれている前記ひとつ又は複数の組み合わせの各々は、前記範囲が相対的に温度が高い領域と相対的に温度が低い領域とに区別されていて前記相対的に温度が高い領域の大きさと天井の高さとを紐付けており、
前記相対的に温度が高い領域の温度は、あらかじめ決められた第１の温度を含むあらかじめ決められた温度範囲内の温度であって、
前記判断部は、前記温度検出部によって検出された温度の分布において最も高い温度から前記最も高い温度よりあらかじめ決められた第２の温度だけ低い温度までの領域の大きさと、前記ひとつ又は複数の組み合わせの各々の前記相対的に温度が高い領域の大きさとを比較して前記部屋の天井の高さを判断する
天井埋込型空気調和機。
【請求項２】
前記判断部が前記部屋の天井の高さを判断する際に用いた前記温度検出部によって検出された温度の分布を示す温度分布データを記憶する温度分布データ記憶部と、
前記判断部が前記部屋の天井の高さを判断した後に前記温度検出部によって検出された温度の分布と前記温度分布データ記憶部に記憶されている前記温度分布データとをもとに前記部屋に存在する人の数を推定する推定部と
を更に備える請求項１に記載の天井埋込型空気調和機。
【請求項３】
吹き出される空気の左右方向における向きを決定するための向きが設定されるベーンと、
前記ベーンの向きを制御する制御部とを更に備え、
前記推定部は、前記部屋に存在する人が位置する場所を推定する機能を更に有し、
前記制御部は、前記推定部によって推定された前記部屋における複数の場所の各々に存在する人の数に対応して前記ベーンの向きを制御する
請求項２に記載の天井埋込型空気調和機。
【手続補正２】
【補正対象書類名】明細書
【補正対象項目名】０００６
【補正方法】変更
【補正の内容】
【０００６】
上述した課題を解決し、目的を達成するために、本発明に係る天井埋込型空気調和機は、部屋の天井に埋め込まれる被埋込部と、部屋の天井に埋め込まれない板部と、板部に取り付けられていて温度の検出を行う温度検出部と、温度検出部が温度の検出を行う範囲にひとりの人が存在する場合の温度の分布と天井の高さとが紐付けられているひとつ又は複数の組み合わせを含む基準データを記憶する基準データ記憶部と、被埋込部が部屋の天井に埋め込まれた後で上記の範囲にひとりの人が存在する場合に温度検出部によって検出された温度の分布と基準データ記憶部に記憶されている基準データとをもとに部屋の天井の高さを判断する判断部とを有する。基準データに含まれているひとつ又は複数の組み合わせの各々は、上記の範囲が相対的に温度が高い領域と相対的に温度が低い領域とに区別されていて相対的に温度が高い領域の大きさと天井の高さとを紐付けている。相対的に温度が高い領域の温度は、あらかじめ決められた第１の温度を含むあらかじめ決められた温度範囲内の温度である。判断部は、温度検出部によって検出された温度の分布において最も高い温度から最も高い温度よりあらかじめ決められた第２の温度だけ低い温度までの領域の大きさと、ひとつ又は複数の組み合わせの各々の相対的に温度が高い領域の大きさとを比較して部屋の天井の高さを判断する。
【国際調査報告】
2020202323.tif 000015
2020202323.tif 000016